Podtech/llm-jp-corpus-v4-ja_patent huggingface dataset:
【手続補正書】
【提出日】平成19年12月26日(2007.12.26)
【手続補正１】
【補正対象書類名】明細書
【補正対象項目名】特許請求の範囲
【補正方法】変更
【補正の内容】
【特許請求の範囲】
【請求項１】ゴム組成物を含むタイヤであって、少なくとも、
（Ａ）天然ゴム、合成ポリイソプレン及びそれらのエラストマーの混合物から成る群から選ばれる一種のジエンエラストマー（成分Ａ）、
（Ｂ）強化白色充填剤（成分Ｂ）、
（Ｃ）少なくとも一つの活性化炭素−炭素二重結合を有するカップリング剤（白色充填剤／ジエンエラストマー）（成分Ｃ）、
（Ｄ）成分Ｃと併用される、０．０５〜０．５ｐｈｒ（エラストマー１００当りの質量部）の熱誘発性ラジカル開始剤（成分Ｄ）、
をベースとし、
成分Ｃが、式：
2003519270.tif 000001
のＮ−（プロピルトリエトキシシラン）マレアミド酸、又は式：
2003519270.tif 000002
のＮ−（プロピルトリエトキシシラン）イソマレイミドである事を特徴とするタイヤ。
【請求項２】成分Ｃが、式：
2003519270.tif 000003
のＮ−（プロピルトリエトキシシラン）マレアミド酸である、請求項１に記載のタイヤ。
【請求項３】成分Ｃが、式：
2003519270.tif 000004
のＮ−（プロピルトリエトキシシラン）イソマレイミドである、請求項１に記載のタイヤ。
【請求項４】成分Ｄが、過酸化物、ヒドロペルオキシド、アジド化合物、ビス（アゾ）化合物、過酸、過酸エステル及びそれらの化合物の混合物から成る群から選ばれる、請求項１に記載のタイヤ。
【請求項５】成分Ａが、天然ゴム及び合成ポリイソプレンから成る群から選ばれる材料で専ら形成されている、請求項１に記載のタイヤ。
【手続補正書】
【提出日】平成20年1月9日(2008.1.9)
【手続補正１】
【補正対象書類名】明細書
【補正対象項目名】特許請求の範囲
【補正方法】変更
【補正の内容】
【特許請求の範囲】
【請求項１】  導管の内面に沿って進むように、導管の内面にわたる本体（Ｂ）を生じさせることによって、流体流通導管（５）の内部を清掃する又は掃除する方法、又は、流体流通導管（５）に移動可能な栓を設ける方法において、
本体（Ｂ）が、非ゲル状で湿った液体が配合された凍結した固体粒子、で作られた、密着し、流動可能に凝集した、塊であり、
非ゲル状で湿った液体が、凍結した固体粒子からの融解生成物からなっており、前記粒子を密着させて、前記本体（Ｂ）を形成させる、
ことを特徴とする方法。
【請求項２】  粒子と湿った液体が、水溶性である、請求項１に記載の方法。
【請求項３】  粒子が、氷粒子である、請求項２に記載の方法。
【請求項４】  氷粒子が、５ｍｍ以下の粒径である、請求項３に記載の方法。
【請求項５】  湿った液体が、凝固点降下剤を含む、請求項１〜３のいずれか１項に記載の方法。
【請求項６】  凝固点降下剤が、食塩又は砂糖である、請求項５に記載の方法。
【請求項７】  粒子が、凍結した有機物の溶剤である、請求項１に記載の方法。
【請求項８】  粒子が、凍結した液体食品又はドリンク、又は、食品又はドリンクの凍結した液体成分である、請求項１又は２に記載の方法。
【請求項９】  凝集した塊が、前記凍結した固体粒子を、少なくとも３０重量パーセント含んでいる請求項１〜３のいずれか１項に記載の方法。
【請求項１０】  本体（Ｂ）が、導管（５）中の他の流動可能な材料の本体の一端で、又は、導管（５）中の他の２つの流動可能な材料の間で、障壁として、導管（５）に沿って通過するようにされる請求項１〜３のいずれか１項に記載の方法。
【請求項１１】  本体（Ｂ）が、回収のために導管に沿って流動可能な材料の前記本体を駆動するために使用される、請求項１０に記載の方法。
【請求項１２】  処理液が導管内に存在しており、
処理液との接触により、凍結されて伝達される処理液が、導管内の通過のために本体（Ｂ）を形成するための粒子の塊を提供する、請求項１〜３のいずれか１項に記載の方法。
【請求項１３】  流体流通導管が、次の任意の一つ又はそれ以上の特徴を備えており、
−交差区分領域における２０％より大きい変化
−導管スペースの中に突き出た内部の局所的な障害物
−導管の分岐部又は合流部
前記本体（Ｂ）が、前記特徴を旨く処理する、請求項１〜３のいずれか１項に記載の方法。
【請求項１４】  凝集した塊が、導管に沿って、０．０５から５ｍ／ｓで、駆動される、請求項１〜３のいずれか１項に記載の方法。
【請求項１５】  凝集した塊が、その幅の２０倍を超えない長さである、請求項１〜３のいずれか１項に記載の方法。
【手続補正２】
【補正対象書類名】明細書
【補正対象項目名】００１４
【補正方法】変更
【補正の内容】
【００１４】
対応する溶解液により湿った凍結粒子の塊の使用は、凝固点降下を伴う又は伴わない通常の氷に限定されない。例えば、化学的な及び生化学的な加工において、凍結した有機物の溶剤を使用することができる。例は、容易に凍結するペルオキシ酢酸であり、生物汚染物質に抗して高活性でありかつ、従来から使用されている塩素を含む漂白とは違って、所定の時期に無害な化合物を破壊する。
【手続補正３】
【補正対象書類名】明細書
【補正対象項目名】００１９
【補正方法】変更
【補正の内容】
【００１９】
凝集した塊における固体と液体の比率は、また、適当な状況の下における適当な導管に沿った本体として移動するのに十分に密着した塊を提供する臨界ではない。しかしながら一般に固体の内容は、少なくとも３０重量パーセントになる。
【手続補正４】
【補正対象書類名】明細書
【補正対象項目名】００２０
【補正方法】変更
【補正の内容】
【００２０】
導管を通って駆動される凝集塊の速度は、場所により大部分が様々である。例えば０．０５から５ｍ／ｓに至るものであれば何でも適当にしてもよい。我々の提案の特別の実施例は、流体流通管に沿って（塊にした）流体塊をくみ上げることを含み、
一つ又はそれ以上の
−例えば２０％より大きい交差区域領域に実質的な変化；
−導管空間の中に突出した探り針又はセンサのような内部の障害物；
−導管の分岐部又は合流部；
分岐部の場合、手順は、同時に下流側の異なる枝部に流体塊を分配することを含んでもよい。
【手続補正５】
【補正対象書類名】明細書
【補正対象項目名】００２１
【補正方法】変更
【補正の内容】
【００２１】
特に手順の実施例において、言及した流体塊は任意の一つ又はそれ以上を使用してもよい。
−導管に沿ってその前に流体材料の本体を駆動すること；
−さらに通常は、第一の導管内における流体材料の下流の本体と、第二の異なる流体材料の例えば上流側の本体又は導管の空の区域の間に障壁を形成しており；
−導管の内面を掃除する。
通常、存在する塊は、導管内における長手方向で、本体（Ｂ）が、その幅の２０倍を超えない長さで、局部集中する。
【手続補正書】
【提出日】平成20年1月9日(2008.1.9)
【手続補正１】
【補正対象書類名】明細書
【補正対象項目名】特許請求の範囲
【補正方法】変更
【補正の内容】
【特許請求の範囲】
【請求項１】  底皿により相互連結され上方に立ち上がった複数の側壁を有する容器であって、前記側壁の少なくとも一つが、上方に立ち上がった支持体により補強可能であり、かつ、前記支持体が、前記容器から分離することなく前記側壁から取り外し可能である容器。
【請求項２】  前記支持体が、近位端と遠位端とを有し、前記支持体が、前記近位端で関節折れ可能に前記側壁に連結されている、請求項１に記載の容器。
【請求項３】  前記支持体が、前記底皿と並置されたヒンジで前記容器に関節折れ可能に連結されている、請求項１又は２のいずれか一項に記載の容器。
【請求項４】  前記支持体が、第一の方向に直角に補強するリブを有する、請求項１から３のいずれか一項に記載の容器。
【請求項５】  前記支持体が、パネルを備え、該パネルが、前記容器の側壁と同一の広がりを持ち、かつ前記側壁に取り付け可能である、請求項１から４のいずれか一項に記載の容器。
【請求項６】  底皿により相互連結され立ち上がった複数の側壁を有する容器であって、該側壁が、交互に位置する及び対向する対として配置され、前記側壁の少なくとも一対が、取り外し可能な支持体により補強可能であることによって、第一の側壁と第一の側壁に対向する第二の側壁が、これらと関連する第一の支持体と第二の支持体とをそれぞれ有し、該第一の支持体と第二の支持体が、前記支持体が該側壁を補強する第一の姿勢と前記支持体が前記側壁を補強しない第二の姿勢との間で可逆的に変形可能であり、前記支持体が、前記第一の姿勢と前記第二の姿勢の間で可逆的に変形可能である容器。
【請求項７】  前記容器が、平坦な支持体を有する、請求項６に記載の容器。
【請求項８】  前記容器が、第一の材料からなり、前記平坦な支持体が、第二の材料からなり、前記第一の材料と前記第二の材料が、異なる、請求項７に記載の容器。
【請求項９】  前記連続した平らな部材が、段加工した厚紙を有する、請求項８に記載の容器。
【請求項１０】  前記容器と前記補強体が、同一の組成物の材料からなり、前記容器が、第一の番手からなり、該補強体が、第二の番手からなり、該第二の番手が、該第一の番手より大きい、請求項８又は９のいずれか一項に記載の容器。
【手続補正２】
【補正対象書類名】明細書
【補正対象項目名】０００２
【補正方法】変更
【補正の内容】
【０００２】
（発明が解決しようとする課題）
当技術分野において、様々な容器が知られている。例えば、１９９５年１月１０日にマッケンフー（Muckenfuhs）他に発行され、本発明の譲受人に譲渡された米国特許第５，３７９，８９７号明細書（以下、号ともいう。）では、弾性的に変形可能な容器が開示され、本願に引用し援用している。しかしこの容器は、容器と共に使用する補助的な補強手段を有していない。
【手続補正３】
【補正対象書類名】明細書
【補正対象項目名】０００５
【補正方法】変更
【補正の内容】
【０００５】
一実施例では、一対の側壁が、取り外し可能な支持体により補強され、支持体は、側壁を補強する第一の姿勢から側壁を補強しない第二の姿勢に、変形可能である。支持体は、関節折れにより、第一と第二の姿勢の間で変形可能である。
【手続補正４】
【補正対象書類名】明細書
【補正対象項目名】０００６
【補正方法】変更
【補正の内容】
【０００６】
別の実施例では、本発明は、折りたたんだ容器を組み立てる方法を含む。その方法は、底皿で相互連結された側壁を有する、容器を準備するステップを含む。容器は更に、側壁に取り付け可能な、任意的に容器から分離せずに側壁から取り外し可能な、支持体を備える。支持体は、側壁に取り付けられていない。支持体は、容器に連結している近位端と、近位端の周りで関節折れ可能な遠位端を有する。支持体は、側壁に近接した位置に関節折れ（以下、筋折りともいう。）され、これにより、実質的に側壁と平行な平面に配置される。支持体は、好ましくは、その遠位端は次に側壁に取り付けることができる。
【手続補正５】
【補正対象書類名】明細書
【補正対象項目名】００１０
【補正方法】変更
【補正の内容】
【００１０】
底皿２２は、第一の平面を画定し、その平面内にある。図示した実施例の場合、底皿２２は、立ち上がっている側壁２０の四つの隅の頂点で画定される。底皿２２は、内側にドーム型凸面として、当技術分野で公知のように、強度増加することができる。特に、ドーム型底皿２２は、底皿２２の平面に直角の方向に、容器１０の内容物による荷重に対して強度増大をもたらす。その代替として、容器１０を水平な表面に置くときに安定性を減少することもあるが、外側に凸形の配置としてもよい。底皿２２はドーム型としてよいが、依然平面を画定することを認識する必要がある。
【手続補正６】
【補正対象書類名】明細書
【補正対象項目名】００２２
【補正方法】変更
【補正の内容】
【００２２】
同様に、支持体４２は、底皿２２に垂直なベクトル成分の方向、好ましくは底皿２２に厳密に垂直なベクトル成分を有する方向に、異方的に容器１０を支持することができる。この配置により、容器１０を使用するときの、曲げと不作為の折りたたみへの抵抗を得ることができる。容器１０を補強する好適な材料としては、片面ダンボール、両面ダンボール、容器１０に使用したと同じ又は類似の高分子材等が挙げられる。支持体４２又は平坦な支持体４８の少なくともいずれかに、厚紙、板紙、又はその他のセルロース材料を選択する場合、湿気や洗浄等での劣化を防止するために、これら材料にサイズ剤を塗布又は疎水性コートの適用をするとよい。
【手続補正書】
【提出日】平成20年1月9日(2008.1.9)
【手続補正１】
【補正対象書類名】明細書
【補正対象項目名】発明の名称
【補正方法】変更
【補正の内容】
【発明の名称】中性フィルタ材料に基づく液体濾過のための方法
【手続補正２】
【補正対象書類名】明細書
【補正対象項目名】特許請求の範囲
【補正方法】変更
【補正の内容】
【特許請求の範囲】
【請求項１】  フッ化水素酸、正に帯電した粒子、および負に帯電した粒子を含む流体を濾過によって前記流体から前記正に帯電した粒子および前記負に帯電した粒子を除去する方法であって、
前記流体を濾過ユニットで濾過するステップを含み、濾過ユニットが、超細孔範囲とマイクロ細孔範囲との間の公称細孔直径を有する超高分子量ポリエチレンから作られた１つ以上のフィルタを含み、各フィルタは、前記流体で＋５から−５ミリボルト間のゼータ電位の表面を有する実質的に中性の表面を有し、濾過ユニットが、１つ以上のフィルタに光重合開始剤、アクリル酸、およびＮ，Ｎ’−メチレンビスアクリルアミドの溶液を付けることで作られるコーティングを含み、前記１つ以上のフィルタが、前記流体内で１つ以上のフィルタの公称細孔サイズより小さい平均直径を有する、正に帯電したおよび負に帯電した粒子の少なくとも３の対数低減値（ＬＲＶ）を有する方法。
【請求項２】  フッ化水素酸を含む流体が、１．５から３．４のｐＨを有する、請求項１に記載の方法。
【手続補正書】
【提出日】平成20年1月7日(2008.1.7)
【手続補正１】
【補正対象書類名】明細書
【補正対象項目名】０００８
【補正方法】変更
【補正の内容】
【０００８】
(発明の詳細な説明)
本発明を、例示の目的でのみ、付随の図を参照にして、より詳細にこれから説明するが、そこでは：
図１は、それらの好ましい形状および寸法を含めて、本発明で用いる好ましい容器を示し；
図２は、本発明の方法で用いるアキシャル噴霧パターンを示し、αは噴霧パターンの円錐角度であり、そしてｄ１は噴霧手段の末端から容器の基底部までの距離であり；
図３は、本発明の方法で用いる放射状噴霧パターンを示し、αは噴霧パターンの円錐角度であり、ｂは放射状噴霧パターンの軸の傾斜角度であり、そしてｄ２は噴霧手段の端末から容器の基底部への距離であり；ならびに
図４は、本発明で使用し得る噴霧吹きつけ器を示す。
【手続補正２】
【補正対象書類名】明細書
【補正対象項目名】００１０
【補正方法】変更
【補正の内容】
【００１０】
別個の空気および流体の圧力気流を、それぞれの気流を別個に制御して、これらの吹きつけ器の送出末端で合体させるが、しかし相乗様式で合体させて、制御された流体噴霧パターン、送出角度、および送出速度を得る。吹きつけ器は、噴霧の開始および持続時間に関して制御された様式でオンとオフの切り替えを可能にする空気圧駆動ピストンを備えている。吹きつけ器内での水性ポリマー懸濁液(ＰＦＡ懸濁液のような)のゲル化を防止し、そして高度に制御されて安定な、さもなくば可能でない、様式でその塗布を可能にするためには、市販装置に相当の修飾が必要とされる。そのような修飾としては、すべての非ステンレス鋼構成部分をステンレス鋼(３１６タイプが好ましい)で置換することが挙げられる。ポリマー流体の流量制御経路における針およびセットの角度を、制御された熱処理をもって、好ましくは高度に精密化して、磨耗を防止しそして低粘性ポリマーに対する長期的に安定な流量制御を提供する。好ましくは、仕切られたＰＴＦＥガイドブッシュを加えて、針をその台座中に同軸着座させる。針のアキシャル駆動機構は、典型的には非常に微細なねじ山ピッチおよびすべりクラッチ機構を含み、過剰な挿入力による針および／もしくは台座の損傷を防止しつつ、微細な流体制御を提供する。台座は、点検および交換を容易にするため一般的には取り外し可能である。
【手続補正３】
【補正対象書類名】明細書
【補正対象項目名】００１３
【補正方法】変更
【補正の内容】
【００１３】
水性ポリマーコーティングは噴霧塗布において急速に乾燥し、乾燥した粉末形状をとる塗布フィルムを生じる。未処理の金属キャニスター表面への接着は、もしキャニスターの前加熱なしでコーティングするならば、非常に貧弱である。陽極処理したアルミニウムのような修飾された表面の使用は、この乾燥フィルムの表面接着を改良するが、しかしまだそれは非常に脆弱であって、通常の取り扱いや市販装置への輸送の間に衝撃が与えられるときに剥離を受けやすい。さらに、空気圧は先に塗布されたコーティングを剥離しがちであるので、コーティングは二次層の塗布には非常に敏感である。非焼結ポリマーの物理的安定性の改良は、ここで述べるように、処方追加により達成され得る。
【手続補正４】
【補正対象書類名】明細書
【補正対象項目名】００１８
【補正方法】変更
【補正の内容】
【００１８】
この噴霧プロセスの変法は、アキシャル噴霧送出用に設定した吹きつけ器を用いる単一コーティング塗布を使用する。図２に示した配置が好ましく、そして角度条件、噴霧空気圧、およびポリマー流体流速条件は上記の通りである。往復運動のタイミングを延長して、頸部の外部表面に達する過噴霧なしで、キャニスター頸部の切断端の上部表面までおよびそこを越えて内部表面の全被覆を与える。
【手続補正５】
【補正対象書類名】明細書
【補正対象項目名】００１９
【補正方法】変更
【補正の内容】
【００１９】
吹きつけ器を好ましくは連結式台車に載せて、前者を容器に関して内側と外側に往復運動することを可能にするが、後者はその開口端で吹きつけ器と対面する。吹きつけ器は装置に関して固定した角度関係を有してもよく、もしくは前者の動的な往復運動が容器と、それらがカルーセルの中で連続的に動くにつれて、同じ歩調を保つように限定された角度置換によって連結されてもよい。それぞれの容器をその外部表面でコレットの使用によって支持してもよい。容器を好ましくは、噴霧塗布の間それらの主軸上で６００〜９００ｒｐｍにて連続的に回転させる。
【手続補正６】
【補正対象書類名】明細書
【補正対象項目名】００２０
【補正方法】変更
【補正の内容】
【００２０】
ポリマーコーティングの噴霧塗布は、吹きつけ器の回転しているキャニスターの内側と外側への共同した連結ならびに噴霧作動およびポリマー流速と噴霧送出の持続時間との間の協調のタイミングを注意深く制御することによって達成され得る。コーティングはアキシャル吹きつけ器で開始してもよい。底部内部表面を噴霧しそしてこの吹きつけ器によるコーティングは基底部から上方に投射し、内部側壁にそって上方に拡大する。それからこの吹きつけ器を停止して引き出し、キャニスターを放射式吹きつけ器の方へ移送することを可能にする。これを上述のようにキャニスターの中へ入れて降ろし、そしてコーティングを部分的に乾燥した以前の層の上に開始する。それぞれの吹きつけ器で塗布したコーティング間にはある程度の意図的な重複があってもよい。吹きつけ器を引き出すにつれて放射状噴霧作動を開始し、そして吹きつけ器が丁度キャニスターから出るまで続ける。
【手続補正７】
【補正対象書類名】明細書
【補正対象項目名】００３２
【補正方法】変更
【補正の内容】
【００３２】
ポリマーは、固体物質の正味の濃度が約６５重量％以上に増加するときには、沈降してゼラチン状態を形成する傾向を有するので、取扱いには何らかの予防措置が必要となるであろう。ポリマーは、アルミニウムおよびアルミニウム合金ならびにより低い程度に亜鉛を含む金属合金と非常に有害に反応する。これは真鍮および亜鉛メッキ鋼を含む。そのような場合には、反応生成物は再懸濁できない難処理性の固体である。この反応の結果として、すべての貯蔵および輸送装置は、噴霧装置を含めて、ステンレス鋼のような非反応性金属および浸出性添加物の無いポリマーで製造されるべきである。許容されるポリマー物質としては、フッ素化エチレンプロピレン(ＦＥＰ)およびポリテトラフルオロエチレン(ＰＴＦＥ)が挙げられる。
【手続補正８】
【補正対象書類名】明細書
【補正対象項目名】００３５
【補正方法】変更
【補正の内容】
【００３５】
特別な定量噴霧式吸入器(ＭＤＩ)が、能動的な肺用もしくは鼻腔用の薬物の制御送達のために本発明で開発されている。その容器は、上記の本発明のプロセスを用いて得られる内張りされた容器からなる。吸入器はしたがって好ましくは、薬物接着、凝集、アルミニウムキャニスターとの潜在的に有害な相互作用および製作に用いた残存物質を制限するために加えた特別に加工したパーフルオロアルコキシ(ＰＦＡ)ポリマーで内張りされた、深絞り成形のアルミニウム合金円筒を備えている。
【手続補正９】
【補正対象書類名】明細書
【補正対象項目名】００３８
【補正方法】変更
【補正の内容】
【００３８】
本発明を、例示のみの目的で、以下の特異的な実施態様を参照にして、より詳細にこれから説明する。
【手続補正書】
【提出日】平成19年12月12日(2007.12.12)
【手続補正１】
【補正対象書類名】明細書
【補正対象項目名】特許請求の範囲
【補正方法】変更
【補正の内容】
【特許請求の範囲】
【請求項１】  疎水性芯物質の周囲を、（ｉ）水溶性カチオニック変性アミノ樹脂とアニオニック界面活性剤とのコアセルベートの固化物層および（ｉｉ）アミノ樹脂プレポリマーの重縮合物層、で逐次積層被覆してなり、該逐次積層被覆は、外周に被覆層厚と同等な表面突起あるいは付着物を有さないことで特徴付けられる整然とした積層構造を有するマイクロカプセル。
【請求項２】  アミノ樹脂プレポリマーの重縮合物が、尿素樹脂、メラミン樹脂およびベンゾグアナミン樹脂から選ばれた少なくとも一種の樹脂のプレポリマーの重縮合物からなる請求項１のマイクロカプセル。
【請求項３】  アミノ樹脂プレポリマーが尿素樹脂プレポリマーとメラミン樹脂プレポリマーとの混合物である請求項２のマイクロカプセル。
【請求項４】  水溶性カチオニック変性アミノ樹脂が水溶性カチオニック変性尿素樹脂である請求項１のマイクロカプセル。
【請求項５】  平均粒径が１００μｍ以下である請求項１のマイクロカプセル。
【請求項６】  芯物質が農薬である請求項１のマイクロカプセル。
【請求項７】  芯物質が潤滑油である請求項１のマイクロカプセル。
【請求項８】  芯物質が無機質材料である請求項１のマイクロカプセル。
【請求項９】  芯物質が発色基剤である請求項１のマイクロカプセル。
【請求項１０】  芯物質が触媒である請求項１のマイクロカプセル。
【請求項１１】  水性媒体中に分散された疎水性芯物質の存在下に、水溶性カチオニック変性アミノ樹脂とアニオニック界面活性剤とを、その一方を先に混合し、次いで他方を混合する形態で、混合し、且つ酸触媒の共存により水性媒体のｐＨを３〜９として、疎水性芯物質分散物を水溶性カチオニック変性アミノ樹脂とアニオニック界面活性剤とのコアセルベート固化物により被覆する第一被覆工程と、被覆された芯物質分散物を含む水性分散液にアミノ樹脂プレポリマーを添加し、酸触媒の共存下にｐＨ２〜７とすることにより、重縮合させて、被覆された芯物質分散物を更にアミノ樹脂プレポリマーの重縮合物で被覆する第二被覆工程とを有するマイクロカプセルの製造方法。
【請求項１２】  第一被覆工程において、コアセルベートの形成および固化のための酸触媒を水性媒体中に共存させｐＨ４〜６とする請求項１１の方法。
【請求項１３】  第一被覆工程が、少なくとも一方に疎水性芯物質を分散させた、水溶性カチオニック変性アミノ樹脂を含む水溶液と、アニオニック界面活性剤を含む水溶液との、連続的混合工程を含む請求項１１の方法。
【請求項１４】  アニオニック界面活性剤を含む水溶液中に、予め疎水性芯物質が分散される請求項１３の方法。
【請求項１５】  アミノ樹脂プレポリマーが、尿素樹脂、メラミン樹脂およびベンゾグアナミン樹脂から選ばれた少なくとも一種のアミノ樹脂のメチロール化物からなる請求項１１の方法。
【請求項１６】  尿素樹脂メチロール化物とメラミン樹脂メチロール化物の混合物である請求項１５の方法。
【請求項１７】  アミノ樹脂のメチロール化がｐＨ７〜９において行われる請求項１５の方法。
【請求項１８】  水溶性カチオニック変性アミノ樹脂が水溶性カチオニック変性尿素樹脂である請求項１１の方法。
【手続補正２】
【補正対象書類名】明細書
【補正対象項目名】００１０
【補正方法】変更
【補正の内容】
【００１０】
すなわち、本発明は、その第一の観点に従い、疎水性芯物質の周囲を、（ｉ）水溶性カチオニック変性アミノ樹脂とアニオニック界面活性剤とのコアセルベートの固化物層および（ｉｉ）アミノ樹脂プレポリマーの重縮合物層、で逐次積層被覆してなり、該逐次積層被覆は、外周に被覆層厚と同等な表面突起あるいは付着物を有さないことで特徴付けられる整然とした積層構造を有するマイクロカプセルを与えるものである。
【手続補正３】
【補正対象書類名】明細書
【補正対象項目名】００１１
【補正方法】変更
【補正の内容】
【００１１】
また、本発明は、水性媒体中に分散された疎水性芯物質の存在下に、水溶性カチオニック変性アミノ樹脂とアニオニック界面活性剤とを、その一方を先に混合し、次いで他方を混合する形態で、混合し、且つ酸触媒の共存により水性媒体のｐＨを３〜９とすることにより、疎水性芯物質分散物を水溶性カチオニック変性アミノ樹脂とアニオニック界面活性剤とのコアセルベートにより被覆する第一被覆工程と、被覆された芯物質分散物を含む水性分散液にアミノ樹脂プレポリマーを添加し、酸触媒の共存下にｐＨ２〜７とすることにより、重縮合させて、被覆された芯物質分散物を更にアミノ樹脂プレポリマーの重縮合物で被覆する第二被覆工程とを有するマイクロカプセルの製造方法を与えるものである。
【手続補正書】
【提出日】平成20年1月10日(2008.1.10)
【手続補正１】
【補正対象書類名】明細書
【補正対象項目名】特許請求の範囲
【補正方法】変更
【補正の内容】
【特許請求の範囲】
【請求項１】  触媒反応器であって、
複数の金属シートを結合した積み重ねを有し、この積み重ねは、隣接したシート間に複数の並列する第１流路と第２流路をそれぞれ画定し、第１流路と第２流路は異なる流体を担持することができ、第１流路と第２流路の流体間に良好な熱接触をもたらし、第１流路と第２流路の流体は圧力が異なり、反応が生ずる流路は、構造的でない触媒担持用の波形金属箔を備え、この波形金属箔は上記反応の触媒を担持していることを特徴とする触媒反応器。
【請求項２】  金属箔は、セラミック物質の層で被覆されている請求項１記載の触媒反応器。
【請求項３】  触媒反応器であって、
複数の金属シートを結合した積み重ねを有し、この積み重ねは、隣接したシート間に複数の並列する第１流路と第２流路をそれぞれ画定し、第１流路と第２流路の流体間に良好な熱接触をもたらし、第１流路と第２流路には異なる流体が供給され、各流路はその長さに沿って流体もれがなく、反応が生ずる流路は、流体が流れるようにする構造的でない触媒担持用の金属基材を備え、この金属基材は、上記反応の触媒を担持し且つアルミニウム担持フェライトスチールを含むことを特徴とする触媒反応器。
【請求項４】  触媒担持用の金属基材は、波形金属箔を含む請求項３記載の触媒反応器。
【請求項５】  金属基材はセラミック物質の層で被覆されている請求項３または４に記載の触媒反応器。
【請求項６】  セラミック層は、１０μm〜５０μmの厚さである請求項２または５に記載の触媒反応器。
【請求項７】  セラミック物質は、アルミナを含む請求項２、５または６に記載の触媒反応器。
【請求項８】  水蒸気／メタン改質反応を行うのに適した触媒反応器であって、第１流路内のセラミック物質は、燃焼反応用の触媒を有するジルコニアを含み、第２流路内のセラミック物質は、改質反応用の触媒を有するアルミナを含む請求項２、５または６に記載の触媒反応器。
【請求項９】  第１流路は燃焼反応用の触媒を含み、この燃焼反応用の触媒はパラジウム又は白金をセラミック物質に有する請求項２、５、６または８に記載の触媒反応器。
【請求項１０】  第１流路と第２流路内の流れ方向は、横方向である請求項１〜９のいずれか１項に記載の触媒反応器。
【請求項１１】  第１流路と第２流路内の流れ方向は、平行である請求項１〜９のいずれか１項に記載の触媒反応器。
【請求項１２】  金属シートは長方形であり、少なくとも一対のプレナムを有し、これらのプレナムは積み重ねの対向する側に取り付けられ、積み重ねの対向する端部に隣接し、各プレナムは、それぞれのヘッダ溝によって１セットの流路と連絡し且つスタックの隣接するシートの間を画定し、対になるプレナムは流体が供給され且つ１セットの流路から引き抜かれるのを可能にする請求項１１記載の触媒反応器。
【請求項１３】  少なくとも第１流路内の触媒活性は流路に沿って調整され、最初に低い触媒活性を与え、さらに流路に沿ってより高い触媒活性を与える請求項１〜１２のいずれか１項に記載の触媒反応器。
【請求項１４】  請求項１〜１３のいずれか１項に記載の触媒反応器を用いてガス間の化学反応を行う方法であって、
上記反応器のための触媒を含む上記反応器の１セットの流路に反応を起こすガス混合物を供給することを含む方法。
【請求項１５】  メタンをより高い分子量の炭化水素に変換するためのプロセスであって、
水蒸気改質用の触媒を含む反応器内でメタンを水蒸気改質にさらし、反応に必要な熱は反応器内の隣接する流路で生ずる燃焼によって供給され、
得られたガス混合物をFischer-Tropsch合成反応用の触媒を含む反応器内で高い圧力でFischer-Tropsch合成にさらし、
Fischer-Tropsch合成で得られたガス混合物の液体成分を凝縮し、
得られた液体炭化水素を分離し、
前記反応器の少なくとも１つが請求項１〜１４のいずれか１項に記載の触媒反応器を含むことを特徴とするプロセス。
【請求項１６】  油井又はガス井で天然ガスを液体炭化水素に変換するのに行われる請求項１５記載のプロセス。
【手続補正２】
【補正対象書類名】図面
【補正対象項目名】図４
【補正方法】変更
【補正の内容】
【図４】
2003519563.tif 000001
【手続補正書】
【提出日】平成20年1月8日(2008.1.8)
【手続補正１】
【補正対象書類名】明細書
【補正対象項目名】特許請求の範囲
【補正方法】変更
【補正の内容】
【特許請求の範囲】
【請求項１】
医療患者のうっ血性心不全を治療するための装置であって、
左心房内の流体圧力を示す信号を発生するように動作可能な圧力トランスデューサと、
少なくとも一部前記圧力トランスデューサによって発生された前記信号に基づいて、適切な治療処置を示す信号を発生するように動作可能な信号処理装置と、
前記患者に対して前記適切な治療処置を示す前記信号を伝達するように動作可能な患者信号伝達デバイスとを備える、医療患者のうっ血性心不全を治療するための装置。
【請求項２】
前記圧力トランスデューサと前記信号処理装置の間の信号接続を提供する、移植可能な可撓リード線をさらに備える、請求項１に記載の装置。
【請求項３】
前記信号処理装置が、少なくとも部分的にハウジング内に収容され、前記ハウジングが、前記患者の体の内部に永久的に移植するように構成されている、請求項１に記載の装置。
【請求項４】
前記圧力トランスデューサを前記患者の心房中隔に固定するように構成された装置をさらに備える、請求項１に記載の装置。
【請求項５】
前記圧力トランスデューサを前記患者の心房中隔に固定するように構成された、リード線上の装置をさらに備える、請求項２に記載の装置。
【請求項６】
前記圧力トランスデューサを前記患者の心房中隔に固定するように構成された、リード線上の装置が、前記心房中隔内に進み、またその内部に固定されるように構成された螺旋ねじを備える、請求項５に記載の装置。
【請求項７】
前記圧力トランスデューサを前記患者の心房中隔に固定するように構成された、リード線上の装置が、その露出のために、取り外し可能なシースを引き抜く時のスプリング力によって展開可能な、少なくとも１つの固定具を備える、請求項５に記載の装置。
【請求項８】
前記圧力トランスデューサが、前記リード線上で、前記リード線の遠位先端から所定の距離だけ離れた場所に配置され、前記距離が、前記遠位先端が前記患者の左心房につながる肺静脈内に位置決めされる時に、前記圧力トランスデューサが前記患者の左心房内に位置決めされるようにあらかじめ決められる、請求項２に記載の装置。
【請求項９】
前記リード線が、第１のリード線要素を備え、前記第１のリード線要素が、
前記患者の心房中隔に固定するように構成された装置を保持し、第２のリード線要素を備え、前記第２のリード線要素が、前記圧力トランスデューサを保持し、前記第１のリード線要素が前記患者の中に移植された後に、前記第２のリード線要素が、前記患者に対して移植可能であり、前記第１のリード線要素に対して固定可能である、請求項２に記載の装置。
【請求項１０】
前記圧力トランスデューサに加えて、前記患者の体の中で第２の状態を示す第２の信号を発生するように動作可能な、第２のセンサをさらに備え、前記信号処理装置が、少なくとも一部前記第２のセンサによって発生された前記第２の信号に基づいて、適切な治療処置を示す信号を発生するように動作可能である、請求項１に記載の装置。
【請求項１１】
前記第２のセンサが、第２の圧力トランスデューサである、請求項１０に記載の装置。
【請求項１２】
前記第２のセンサが、ＥＣＧ電極である、請求項１０に記載の装置。
【請求項１３】
前記患者信号伝達デバイスが、前記患者によって認識可能な振動を発生するように動作可能な機械式バイブレータを含む、請求項１に記載の装置。
【請求項１４】
前記患者信号伝達デバイスが、前記患者によって認識可能な電気ショックを発生するように構成された装置を含む、請求項１に記載の装置。
【請求項１５】
前記患者信号伝達デバイスが、遠隔受信機に情報を送るように動作可能な送信機を含む、請求項１に記載の装置。
【請求項１６】
前記信号処理装置が、前記圧力トランスデューサによって発生された複数の個々の信号に基づいて、平均左心房圧力を計算するように動作可能な装置を含む、請求項１に記載の装置。
【請求項１７】
前記患者信号伝達装置が、前記患者によって互いを識別可能な少なくとも２つの別個の信号を発生するように動作可能であり、前記各信号が、異なる治療処置を示す、請求項１に記載の装置。
【請求項１８】
前記患者信号伝達装置が、前記患者によって互いを識別可能な少なくとも４つの別個の信号を発生するように動作可能であり、前記各信号が、異なる治療処置を示す、請求項１７に記載の装置。
【請求項１９】
前記患者信号伝達装置が、前記患者によって摂取される少なくとも１つの薬物の通常の投与量を低減することを含む、適切な治療処置を示す、少なくとも１つの信号を発生するように動作可能である、請求項１に記載の装置。
【請求項２０】
前記患者信号伝達装置が、個々の信号パルスの所定のシーケンスの形態で信号を発生し、前記信号パルスが、前記患者によって認識可能である、請求項１に記載の装置。
【手続補正書】
【提出日】平成20年1月9日(2008.1.9)
【手続補正１】
【補正対象書類名】明細書
【補正対象項目名】特許請求の範囲
【補正方法】変更
【補正の内容】
【特許請求の範囲】
【請求項１】  直交するＸ方向とＹ方向を画定する二次元平面内に有る、剛性のある伸長した再閉可能な締結具（４０）を開閉するスライダー（１００）であって、前記再閉可能な締結具（４０）が、前記再閉可能な締結具（４０）に並行に走る、前記Ｘ方向とＹ方向に伸びるベクトル成分を有する走行路（４８）を備える軌道（４６）を有し、該スライダー（１００）が：
第一の表面（１１２）を有する基部（１１０）と；
内側表面（１２６）、前記基部（１１０）の前記第一の表面（１１２）からたれ下る近位端（１２２）、および遠位端（１２４）を有する第一の伸長部（１２０）と；
該第一の伸長部（１２０）から間隔を置いて配置された第二の伸長部（１３０）と、ここで前記第二の伸長部（１３０）が、内側表面（１３６）、前記基部（１１０）の前記第一の表面（１１２）からたれ下る近位端（１３２）、および遠位端（１３４）を有し；
前記遠位端（１２４）において前記第一の伸長部（１２０）の該内側表面（１２６）からたれ下り、かつ前記第二の伸長部（１３０）へ突き出しているピボット（１４０）と；
前記遠位端（１３４）において前記第二の伸長部（１３０）の前記内側表面（１３６）からたれ下っており、かつ前記第一の伸長部（１２０）へ突き出している追従部（１６０）と；
を備え、ここで該ピボット（１４０）及び該追従部（１６０）が、前記軌道（４６）と連係するスライダー（１００）。
【請求項２】  前記ピボット（１４０）が、前記軌道（４６）の第一の縁と連係し、かつ前記追従部（１６０）が、前記軌道（４６）の該第一の縁と対向する第二の縁と連係することにより、前記スライダー（１００）が、少なくとも一つの弧を有する走行路（４８）で該軌道（４６）に沿って運搬でき、ここで前記少なくとも一つの弧の前記第一の縁が、前記第二の縁よりも小さな曲率半径を有する、請求項１に記載のスライダー（１００）。
【請求項３】  前記スライダー（１００）が、前記第一の伸長部（１２０）および第二の伸長部（１３０）に並行に走る幅（１０４）と前記第一の伸長部（１２０）および第二の伸長部（１３０）に直角に走る長さ（１０２）とを有し、ここで前記ピボット（１４０）が、前記軌道（４６）を受け入れる空間を備える前記幅（１０４）に沿って前記追従部（１６０）から間隔を置いて配置されている、請求項１又は２のいずれか１項に記載のスライダー（１００）。
【請求項４】  前記スライダー（１００）が、前記第一の伸長部（１２０）と第二の伸長部（１３０）を前記軌道（４６）に対して垂直に保持するための回転制限部（１８０）を備える、請求項１から３までのいずれか一項に記載のスライダー（１００）。
【請求項５】  前記回転制限部（１８０）が、前記軌道（４６）と連係するピン（１８２）を有し、ここで該ピン（１８２）が、前記第一の伸長部（１２０）の前記内側表面（１２６）からたれ下り、かつ前記第二の伸長部（１３０）へ向かって突き出している、請求項４に記載のスライダー（１００）。
【請求項６】  蓋（３０）で閉じることができる容器（１０）であって、該容器（１０）が、該蓋（３０）と前記容器（１０）の間に配置されたシールにより少なくとも部分的にその周辺で密閉可能な周囲を有し、該シールが、直交するＸ方向とＹ方向を画定する二次元平面に有る再閉可能な締結具（４０）を有し、該再閉可能な締結具（４０）が、前記再閉可能な締結具（４０）と相合し、該Ｘ方向およびＹ方向にそれぞれ伸びるベクトル成分を有する走行路（４８）を備える軌道（４６）を有し、前記再閉可能な締結具（４０）が、スライダー（１００）によって密閉することができ又密閉を解除することができ、前記スライダー（１００）が、前記軌道（４６）に摺動可能に取り付けられて該走行路（４８）に沿って移動可能であり；前記スライダー（１００）が：
第一の表面（１１２）を有する基部（１１０）と；
内側表面（１２６）、前記基部（１１０）の前記第一の表面（１１２）からたれ下る近位端（１２２）、および遠位端（１２４）を有する第一の伸長部（１２０）と；
該第一の伸長部（１２０）から間隔を置いて配置された第二の伸長部（１３０）と、ここで前記第二の伸長部（１３０）が、内側表面（１３６）、前記基部（１１０）の前記第一の表面（１１２）からたれ下る近位端（１３２）、および遠位端（１３４）を有し、；
前記遠位端（１２４）において前記第一の伸長部（１２０）の該内側表面（１２６）からたれ下り、かつ前記第二の伸長部（１３０）へ突き出しているピボット（１４０）と；
前記遠位端（１３４）において前記第二の伸長部（１３０）の前記内側表面（１３６）からたれ下っており、かつ前記第一の伸長部（１２０）へ突き出している追従部（１６０）と；
を備え、ここで該ピボット（１４０）及び該追従部（１６０）が、前記軌道（４６）と連係することを特徴とする容器（１０）。
【請求項７】  前記軌道（４６）が、第一の縁と、前記第一の縁に対向する第二の縁と、少なくとも二つの弧とにより画定される幅を有し、ここで該第一の縁が、該少なくとも二つの弧において該第二の縁と比較してより小さい曲率半径を有する、請求項６に記載の容器（１０）。
【手続補正２】
【補正対象書類名】明細書
【補正対象項目名】０００３
【補正方法】変更
【補正の内容】
【０００３】
剛性のある、又は半剛性の容器も又、当技術分野でよく知られている。このような容器は、広く様々な内容物の貯蔵手段を備えることに、かなりの程度の商業的成功を収めてきた。これら容器の典型例は、再閉可能な締結具により容器を通常密閉する蓋を組み入れ、締結具は例えば球形と溝などのかみ合う突出し要素とくぼみ要素を備える。更に、１９７４年１月８日にアンダーソン（Anderson）に発行された米国特許第３，７８４，０５５号明細書（以下、号ともいう。）、及び１９７６年７月６日にバリシュ（Barish）に発行された米国特許第３，９６７，７５６号では、プラグシール（plug seal）を利用した容器が開示され、これら二つは本明細書に参考として組み込まれる。
【手続補正３】
【補正対象書類名】明細書
【補正対象項目名】００４９
【補正方法】変更
【補正の内容】
【００４９】
図７ａと７ｂ及び図８ａ〜８ｃに示す実施態様の開放操作を実施するために、楔部３６０が、第一の伸長部３２０と第三の伸長部３４０との間に配置されている。図示したように、楔部３６０は、第二の伸長部３３０の遠位端３３４に配置してよい。楔部３６０はテーパがつけられ、第三の伸長要素３４０の内側表面３４６に対向する楔部３６０の外側表面３６２は、スライダー３００の開放端３０６に隣接する第一の端３６６からスライダー３００の閉鎖端３０８に近づいている第二の端３６８にかけて、第一の伸長部３２０に向かって傾くようなテーパとなっている。楔部３６０の断面は、第一の端３６６から第二の端３６８に向かって減少している。
【手続補正書】
【提出日】平成20年2月22日(2008.2.22)
【手続補正１】
【補正対象書類名】明細書
【補正対象項目名】特許請求の範囲
【補正方法】変更
【補正の内容】
【特許請求の範囲】
【請求項１】
表示装置に結合するのに適した出力信号を発生して少なくとも１人の視聴者に表示される複数の画像を発生させるビデオ信号プロセッサと、
前記少なくとも１人の視聴者に対する表示がブロックされる画像を識別する少なくとも１つの視聴者プロフィールを作成する、監督者によって操作可能な監督者制御システムと、を含み、
前記監督者制御システムは、前記視聴者プロフィールに適用可能な番組をブロックするための設定格付けを超える格付けを有する特定の番組を選択して前記選択された番組が前記番組の期間にはブロック解除され、前記複数の画像のうちの他のものの表示が前記視聴者プロフィールに従ってブロックされるように、前記監督者によって操作可能であり、前記選択された特定の番組が終了すると、前記監督者制御システムは、前記少なくとも１つの視聴者プロフィールに従ってブロックされる画像を識別するシステム。
【請求項２】
前記画像が番組に対応し、前記少なくとも１人の視聴者に対する表示がブロックされる番組を前記視聴者プロフィールが識別する請求項１記載のシステム。
【請求項３】
前記画像がチャンネルに対応し、前記少なくとも１人の視聴者に対する表示がブロックされるチャンネルを前記視聴者プロフィールが識別する請求項１記載のシステム。
【請求項４】
前記視聴者に対して全ての画像の表示がブロックされる少なくとも１つの期間を前記視聴者プロフィールが識別する請求項１記載のシステム。
【請求項５】
ユーザにより、前記視聴者プロフィールに適用可能な番組をブロックするための設定格付けを超える格付けを有する複数の番組の選択を含み、オーバーライド・リストが作成され、該オーバーライド・リストは、少なくとも１つの対応する視聴者プロフィールに対応し、前記視聴者プロフィールに従ってブロックされる少なくとも１つの画像がブロック解除され、前記視聴者プロフィールに従ってブロックされない少なくとも１つの他の画像がブロックされる請求項１記載のシステム。
【請求項６】
前記オーバーライド・リストが一時的に少なくとも１つの視聴者プロフィールに適用される請求項５記載のシステム。
【請求項７】
前記オーバーライド・リストが前記監督者によって特定される期間に適用される請求項５記載のシステム。
【請求項８】
前記オーバーライド・リストがａ）少なくとも１つのチャンネルをブロックするオーバーライド、ｂ）少なくとも１つの期間をブロックするオーバーライド、ｃ）少なくとも１つの格付けをブロックするオーバーライド、ｄ）少なくとも１つの番組をブロックするオーバーライド、ｅ）少なくとも１つの支払い制限のオーバーライド、ｆ）少なくとも１つの画像コンテンツをブロックするオーバーライド、および、ｇ）少なくとも１つの合計視聴時間制限のオーバーライドの群から選択される少なくとも１つのオーバーライドを含む請求項５記載のシステム。
【請求項９】
前記少なくとも１つのオーバーライド・リストが複数の視聴者プロフィールに適用可能な請求項５記載のシステム。
【請求項１０】
前記少なくとも１つの視聴者プロフィールに適用可能な複数のオーバーライド・リストを作成可能なように、前記制御システムが前記監督者によって操作可能である請求項１記載のシステム。
【請求項１１】
複数の視聴者プロフィールに適用可能な複数のオーバーライド・リストを作成可能なように、前記制御システムが前記監督者により操作可能である請求項１記載のシステム。
【請求項１２】
出力信号を発生させるための前記監督者制御システムがテレビジョン受信機、セット・トップ・ボックス、およびビデオ・カセット・レコーダ・チューナの群から選択される少なくとも１つの品目を含む請求項１記載のシステム。
【請求項１３】
前記オーバーライド・リストに基づいて視聴者にブロッキング・ステータスを表示する手段をさらに含む請求項５記載のシステム。
【請求項１４】
表示装置に結合するのに適した出力信号を発生して少なくとも１人の視聴者に表示される画像を発生させるビデオ信号処理システムにおいて、少なくとも１人の視聴者による視聴をブロックするための方法であって、
対応する視聴者のためにブロックされる画像を識別する視聴者プロフィールを作成するステップと、
前記視聴者プロフィールに適用される番組をブロックするための設定格付けを超える格付けを有する番組を選択して前記対応する視聴者が前記選択された番組を当該番組の期間視聴可能にするステップと、
前記視聴者プロフィールに従って表示される前記画像の他のものに対するブロックをモニタするステップと、
前記選択された番組が完了すると前記視聴者プロフィールに従って全ての画像の視聴に対するブロックをモニタするステップとを含む、前記方法。
【請求項１５】
複数の番組の選択後オーバーライド・リストを作成し、前記オーバーライド・リストを前記システムのメモリ内に保存する請求項１４記載の方法。
【請求項１６】
前記視聴者プロフィールに対して前記オーバーライド・リストを適用する期間を特定するステップを含む請求項１５記載の方法。
【請求項１７】
前記特定された期間の開始時に前記視聴者プロフィールに前記オーバーライド・リストを適用し、前記特定された期間の終了時に前記視聴者プロフィールに対する前記オーバーライド・リストの適用を停止するステップを含む請求項１５記載の方法。
【請求項１８】
前記画像が番組からなり、前記少なくとも１人の視聴者に対する表示がブロックされる番組を前記視聴者プロフィールが識別する請求項１４記載の方法。
【請求項１９】
前記画像がチャンネルからなり、前記少なくとも１人の視聴者に対する表示がブロックされるチャンネルを前記視聴者プロフィールが識別する請求項１４記載の方法。
【請求項２０】
前記視聴者に対して全ての画像がブロックされる少なくとも１つの期間を前記視聴者プロフィールが識別する請求項１４記載の方法。
【手続補正書】
【提出日】平成19年12月5日(2007.12.5)
【手続補正１】
【補正対象書類名】明細書
【補正対象項目名】特許請求の範囲
【補正方法】変更
【補正の内容】
【特許請求の範囲】
【請求項１】
テレビジョン・プログラムの視聴およびレコーディングを選択的に制御する方法であって、
プログラム・レーティング、支払い、チャンネル、視聴時間制限、一日のうちの時間、画像コンテンツ・レーティングからなる群から選択された制限に基づいて対応する視聴者から画像をブロックするための少なくとも１つの視聴者プロファイルを設定するステップと、
前記制限のうちの選択されたものを変更するために前記少なくとも１つの視聴者プロファイルに適用可能なオーバーライド指令を含む少なくとも１つのオーバーライドのリストを作成するステップと、
オーバーライド指令間の競合の存在を検出するステップと、
前記オーバーライド指令が有効である場合に、オーバーライド指令間の競合の存在が検出されると、自動的にオーバーライド指令間の競合を解消するステップと、
を含む、前記方法。
【請求項２】
ビデオ画像の視聴を制御する方法であって、
少なくとも１人の視聴者に対する表示用のビデオ画像を提供するように、表示装置にビデオ処理回路を結合するステップと、
対応する視聴者プロファイルに従って視聴者に対して前記ビデオ画像の少なくとも一部が表示されるのをブロックするための親用の制御回路を提供するステップと、
選択されたブロックされたビデオ画像をブロック解除するために、前記ビデオ処理回路に適用可能なオーバーライド指令からなる少なくとも１つのオーバーライドのリストを作成するステップと、
オーバーライド指令間の競合の存在を検出するステップと、
前記オーバーライド指令が有効である場合に、オーバーライド指令間の競合の存在が検出されると、自動的にオーバーライド指令間の競合を解消するステップと、
を含む、前記方法。
【請求項３】
前記競合を解消するステップが、競合するオーバーライド指令のうち制限が最も緩いものを判定するステップと、
前記制限が最も緩い指令を前記視聴者プロファイルに適用して前記ビデオ画像の少なくとも一部をブロック解除するステップを含む、請求項２記載の方法。
【請求項４】
テレビジョン・プログラムの視聴およびレコーディングを選択的に制御するシステムであって、
一組の制限を設定して前記制限の範囲を外れた画像の視聴をブロックする少なくとも１つの視聴者プロファイルと、
プログラム・レーティング、支払い、チャンネル、視聴時間制限、一日のうちの時間の制限、画像コンテンツ・レーティングからなる群から選択される少なくとも１つの制限と、
前記制限のうちの少なくとも１つをオーバーライドするための前記少なくとも１つの視聴者プロファイルに適用可能な少なくとも１つのオーバーライド指令を含む少なくとも１つのオーバーライドのリストと、
オーバーライド指令間の競合の存在を検出し、前記制限の組が有効である場合に、前記オーバーライド指令間の競合の存在が検出されると、自動的に前記オーバーライド指令間の競合を解決する競合リゾルバと、
を含む、前記システム。
【請求項５】
前記競合リゾルバは、制限が最も厳しい動作モードと制限が最も緩い動作モードとの間で切り換え可能である、請求項４記載のシステム。
【請求項６】
少なくとも１つの画像のブロッキング状態を視聴者に表示する手段を含む、請求項４記載のシステム。
【請求項７】
テレビジョン受信機、ケーブル・ボックス、およびビデオ・カセット・レコーダ（ＶＣＲ）・チューナからなる群から選択された少なくとも１つの装置を含む、請求項４記載のシステム。
【請求項８】
テレビジョン・プログラムの視聴およびレコーディングを選択的に制御するシステムであって、
プログラム・レーティング、支払い、チャンネル、視聴時間制限、一日のうちの時間の制限、画像コンテンツ・レーティングからなるリストから選択される一組の制限を設定して前記制限の範囲を外れた画像の対応する視聴者による視聴をブロックする少なくとも１つの視聴者プロファイルと、
前記制限のうちの少なくとも１つを変更するために前記少なくとも１つの視聴者プロファイルに適用可能なオーバーライド指令を含む少なくとも１つのオーバーライドのリストと、
オーバーライド指令間の競合の存在を検出し、前記制限の組が有効である場合に、前記オーバーライド指令間の競合の存在が検出されると、自動的に前記オーバーライド指令間の競合を解決する競合リゾルバと、
を含む、前記システム。
【請求項９】
前記競合リゾルバは、制限が最も緩い動作モードと制限が最も厳しい動作モードとの間で切り換え可能であり、前記競合リゾルバが第１の動作モードにあるとき、競合するオーバーライド指令のうち制限が最も緩やかなものが前記視聴者プロファイルに適用され、前記競合リゾルバが第２のモードにあるとき、競合するオーバーライド指令のうち制限が最も厳しいものが前記視聴者プロファイルに適用される、請求項８記載のシステム。
【請求項１０】
前記プロファイルに従って視聴がブロックされる前記画像は、プログラム、チャンネル、プログラム・レーティング、シーン・レーティング、支払い制限、時間制限、および期間からなる群から選択される、請求項８記載のシステム。
【請求項１１】
前記オーバーライドのリストに従ってブロック解除される前記画像は、プログラム、チャンネル、プログラム・レーティング、シーン・レーティング、支払い制限、時間制限、および期間からなる群から選択される、請求項８記載のシステム。
【請求項１２】
視聴またはレコーディングされる画像を発生させるために表示装置に結合されるのに適した出力信号を発生させるビデオ信号処理装置と、
前記ビデオ信号処理装置に結合され、前記画像を管理者によって設定されたプロファイルに従ってブロックするブロッキング・システムと、
を含み、
前記ブロッキング・システムは、
前記プロファイルに従ってブロックされる画像が前記オーバーライドのリストに従ってブロック解除されるように前記プロファイルに適用可能な少なくとも１つのオーバーライドのリストと、
オーバーライド指令間の競合の存在を検出し、競合の存在が検出されると、
前記オーバーライドのリストのうちの２つ以上の間の競合を自動的に解消する競合リゾルバと、
を含む、前記システム。
【請求項１３】
前記競合リゾルバが少なくとも第１および第２の競合解消モードを含む、請求項１２記載のシステム。
【請求項１４】
前記第１の競合解消モードが制限が最も緩いモードであり、前記第２の競合解消モードが制限が最も厳しい競合解消モードである、請求項１３記載のシステム。